(57)【要約】【課題】樹脂パイプの経時変形を少なくでき、安価に樹脂パイプを取り付けることができる除湿機を提供する。【解決手段】除湿機は、除湿ローターと、除湿ローターを回転自在に支持する支持部材Ｅと、間隔をおいて平行に並設された複数の樹脂パイプを有する熱交換器とを備え、支持部材Ｅは、除湿ローター用の貫通孔に対して樹脂パイプの並設方向に隣接するベース部１０１に、並設する複数の樹脂パイプの間に入り込む歯１０９ａを樹脂パイプの並設方向に沿って複数有する櫛部１０９を有する。【選択図】図１４
2019219165.tif 000002
【特許請求の範囲】
【請求項１】
除湿ローターと、
前記除湿ローターを回転自在に支持する支持部材と、
間隔をおいて平行に並設された複数の樹脂パイプを有する熱交換器と
を備え、
前記支持部材は、前記除湿ローター用の貫通孔に対して前記樹脂パイプの並設方向に隣接するベース部に、前記並設する複数の樹脂パイプの間に入り込む歯を前記樹脂パイプの並設方向に沿って複数有する櫛部を有する
除湿機。
【請求項２】
除湿ローターと、
前記除湿ローターを回転自在に支持する支持部材と、
間隔をおいて平行に並設された複数の樹脂パイプを有する熱交換器と、
前記除湿ロータと前記支持部材と前記熱交換器気とを収容し且つ吸気口と排気口とを有する筐体と
を備え、
前記支持部材は、板状のベース部を有し、当該ベース部における前記吸気口の裏側部分に、前記並設する複数の樹脂パイプの間に入り込む歯を前記樹脂パイプの並設方向に沿って複数有する櫛部を有する
除湿機。
【請求項３】
前記ベース部は、前記樹脂パイプのパイプ軸方向の中領域に複数個の貫通孔を有し、
前記櫛部は、前記ベース部の複数個の貫通孔の近傍を前記複数の樹脂パイプの並設方向に横切る桟部に設けられている
請求項１又は２に記載の除湿機。
【発明の詳細な説明】
【技術分野】
【０００１】
本発明は、空気中の水分を除く除湿機に関する。
【背景技術】
【０００２】
除湿機として、例えば、円盤状の吸湿材を有する除湿ローターで水分を吸湿し、吸湿した水分を熱交換器で凝縮する、所謂、デカント式がある（例えば、特許文献１）。
特許文献１の除湿機は、「基部と当該基部に回転可能に取り付けられたデシカントホイールとを含むデシカントホイールモジュールと、前記デシカントホイールを通過する第１気流を供給する第１気流生成モジュールと、前記基部に固定され気流管入口と気流管出口とを有する循環気流管と、前記循環気流管に接続されて第２気流を供給する第２気流生成モジュールと、前記循環気流管に接続されて前記デシカントホイールを通過する第２気流を加熱する加熱器と、前記基部に固定されて前記デシカントホイールから前記第２気流を案内する熱交換器と、を備え、前記熱交換器は、前記気流管出口に接続された空気入口と、前記気流管入口に接続された空気出口と、底部に位置する液体出口とを有する枠と、前記枠に固定され略横に並んで配列され相互に距離をおいて隔離されて第１流れチャネルを形成するとともに、各々が、前記空気入口及び前記空気出口の双方と連通する複数の第２流れチャネルを内部に形成する主本体と、当該複数の第２流れチャネルにおける相互に隣接する２つの間に各々が位置する１つ以上の分割壁と、を有する複数の熱交換板状管と、を備える」とされている（請求項１３）。
また、「熱交換器１０は、枠本体１１１の開口１１１４内で上部グリル１３と下部グリル１４との間に位置する中央グリル１５を更に備える。中央グリル１５は熱交換板状管１２の中央部を固定し熱交換板状管１２と枠本体１１１との結合安定性を向上させる。」とされている（第３３段落）。
特許文献１に記載の除湿機では、熱交換板状管が中央グリルにより固定されているため、樹脂材料を利用した熱交換板状管であっても長期間使用しても変形量を少なくできる。
なお、特許文献１における「熱交換板状管」が本発明の「樹脂パイプ」に相当する。
【先行技術文献】
【特許文献】
【０００３】
【特許文献１】実用新案登録第３１８２８０５号
【発明の概要】
【発明が解決しようとする課題】
【０００４】
しかしながら、特許文献１に記載の除湿機は、樹脂パイプを枠本体に取り付けて熱交換器とした後、除湿ローターを支持する支持部材に熱交換器を固定している。このため、樹脂パイプの支持部材側への取り付けコストが増大している。
本発明は、樹脂パイプの経時変形を少なくでき、安価に樹脂パイプを取り付けることができる除湿機を提供することを目的とする。
【課題を解決するための手段】
【０００５】
本発明に係る除湿機は、除湿ローターと、前記除湿ローターを回転自在に支持する支持部材と、間隔をおいて平行に並設された複数の樹脂パイプを有する熱交換器とを備え、前記支持部材は、前記除湿ローター用の貫通孔に対して前記樹脂パイプの並設方向に隣接するベース部に、前記並設する複数の樹脂パイプの間に入り込む歯を前記樹脂パイプの並設方向に沿って複数有する櫛部を有する。
本発明に係る除湿機は、除湿ローターと、前記除湿ローターを回転自在に支持する支持部材と、間隔をおいて平行に並設された複数の樹脂パイプを有する熱交換器と、前記除湿ロータと前記支持部材と前記熱交換器気とを収容し且つ吸気口と排気口とを有する筐体とを備え、前記支持部材は、板状のベース部を有し、当該ベース部における前記吸気口の裏側部分に、前記並設する複数の樹脂パイプの間に入り込む歯を前記樹脂パイプの並設方向に沿って複数有する櫛部を有する。
【発明の効果】
【０００６】
上述の構成によれば、樹脂パイプが櫛部を有する支持部材に直接取り付けられるため、樹脂パイプの経時変形が少なく、安価に樹脂パイプを取り付けできる。
【図面の簡単な説明】
【０００７】
【図１】実施形態に係る除湿機の斜視図であり、（ａ）は表側上方から見た図であり、（ｂ）は裏側上方から見た図である。
【図２】除湿機の分解状態を表側から見た斜視図である。
【図３】除湿機の分解状態を裏側から見た斜視図である。
【図４】除湿機能部の分解状態を表側から見た斜視図である。
【図５】除湿機能部の分解状態を裏側から見た斜視図である。
【図６】除湿ローターの分解状態を示す斜視図である。
【図７】加熱器の斜視図である。
【図８】レシーバの斜視図である。
【図９】熱交換器の分解状態を示す斜視図である。
【図１０】上カバーの斜視図である。
【図１１】下カバーの斜視図である。
【図１２】支持部材を表側から見た斜視図である。
【図１３】支持部材を裏側から見た斜視図である。
【図１４】支持部材を表側から見た図である。
【図１５】支持部材を裏側から見た図である。
【図１６】レシーバ、支持部材及び加熱器の組み立てを説明する図である。
【図１７】除湿機能部の断面を表側上方から見た図である。
【図１８】主ファンユニットを取り外した状態の図であり、（ａ）は裏側から見た図であり、（ｂ）は側方から見た図である。
【図１９】除湿機能部の断面を側方から見た図であり、（ａ）は上部側の拡大図であり、（ｂ）は下部側の拡大図である。
【図２０】（ａ）は一部を切り欠いたレシーバ周辺の拡大図であり、（ｂ）は除湿機能部の下部側の断面拡大図である。
【図２１】（ａ）は除湿機能部を裏側から見た図であり、（ｂ）は除湿機能部を一側方から見た図である。
【図２２】（ａ）は除湿機能部を表側から見た図であり、（ｂ）は除湿機能部を他側方から見た図である。
【図２３】表ケースを裏側から見た図である。
【図２４】表ケース本体の断面斜視図である。
【図２５】裏ケースを表側から見た図である。
【図２６】（ａ）は水タンク収容部位での筐体の断面図であり、（ｂ）は除湿機能部収容部位での筐体の断面図である。
【図２７】（ａ）は筐体内に除湿機能部を収容していない状態の上部側の断面図であり、（ｂ）は筐体内に除湿機能部を収容した状態の上部側の断面図である。
【図２８】（ａ）は筐体内に除湿機能部を収容していない状態の下部側の断面図であり、（ｂ）は筐体内に除湿機能部を収容した状態の下部側の断面図である。
【発明を実施するための形態】
【０００８】
＜概要＞
本実施形態に係る一態様の除湿機は、除湿ローターと、前記除湿ローターを回転自在に支持する支持部材と、間隔をおいて平行に並設された複数の樹脂パイプを有する熱交換器とを備え、前記支持部材は、前記除湿ローター用の貫通孔に対して前記樹脂パイプの並設方向に隣接するベース部に、前記並設する複数の樹脂パイプの間に入り込む歯を前記樹脂パイプの並設方向に沿って複数有する櫛部を有する。
本実施形態に係る別態様の除湿機は、除湿ローターと、前記除湿ローターを回転自在に支持する支持部材と、間隔をおいて平行に並設された複数の樹脂パイプを有する熱交換器と、前記除湿ロータと前記支持部材と前記熱交換器気とを収容し且つ吸気口と排気口とを有する筐体とを備え、前記支持部材は、板状のベース部を有し、当該ベース部における前記吸気口の裏側部分に、前記並設する複数の樹脂パイプの間に入り込む歯を前記樹脂パイプの並設方向に沿って複数有する櫛部を有する。
本実施形態に係る別態様の除湿機は、前記ベース部は、前記樹脂パイプのパイプ軸方向の中領域に複数個の貫通孔を有し、前記櫛部は、前記ベース部の複数個の貫通孔の近傍を前記複数の樹脂パイプの並設方向に横切る桟部に設けられている。
本明細書に係る一態様の除湿機は、除湿ローターと、前記除湿ローターを回転自在に支持する支持部材と、前記除湿ローターを加熱し且つ前記支持部材に装着される加熱器とを備え、前記支持部材は、前記除湿ローターの外周側に位置する筒部と、前記筒部の周縁であって周方向に間隔をおいた複数部位から前記筒部の筒軸に向かって延伸する複数の延伸部とを有すると共に、前記複数の延伸部の連結部分に前記除湿ローターを支持する支持軸を有し、前記支持軸は前記加熱器が装着される部分に耐熱部を有する。
本明細書に係る別態様の除湿機において、前記支持軸は、前記連結部分に一体に形成された第１軸部と、前記第１軸部と嵌合する第２軸部を有し、前記耐熱部は前記第２軸部により構成されている。
本明細書に係る別態様の除湿機において、前記第１軸部は、筒状をし、その周壁に欠け部分を有し、前記第２軸部は、前記第１軸部内に嵌合する状態で前記欠け部分に嵌る凸部分を有する。
本明細書に係る一態様の除湿機は、除湿ローターと、前記除湿ローターを回転自在に支持する支持部材と、間隔をおいて平行に並設された複数の樹脂パイプを有する熱交換器とを備え、前記支持部材は、前記並設する複数の樹脂パイプの間に入り込む歯を前記樹脂パイプの並設方向に沿って複数有する櫛部を有する。
本明細書に係る別態様の除湿機は、前記熱交換器と前記除湿ローターとを収容し且つ吸気口と排気口とを有する筐体を備え、前記複数の樹脂パイプの一部又は全部は前記筐体の吸気口と前記除湿ローターとの間に配され、前記支持部材は、複数の貫通孔を有する格子孔部と、前記除湿ローター用の筒部と、前記筒部の周縁であって周方向に間隔をおいた複数部位から前記筒部の筒軸に向かって延伸する複数の延伸部とを有し、複数の延伸部の連結部分で前記除湿ローターを支持し、前記櫛部は、前記格子孔部における前記複数の樹脂パイプの並設方向に沿って延伸する横桟部と、前記樹脂パイプの裏側に位置する延伸部とに一体に設けられている。これにより、櫛部を安価に設けることができる。
本明細書に係る別態様の除湿機は、前記歯における前記樹脂パイプのパイプ軸方向と前記並設方向とに直交する方向の高さは、前記樹脂パイプにおける前記直交する方向の寸法の１／３倍以上２／３倍以下の範囲にある。これにより、樹脂パイプの冷却効果を維持しつつ樹脂パイプを支持できる。
本明細書に係る別態様の除湿機は、前記除湿ローターを加熱し且つ前記支持部材に取り付けられる加熱器を備え、前記支持部材は前記除湿ローターを支持する支持軸を前記連結部分に有し、前記支持軸は前記加熱器が装着される部分に耐熱部を有する。これにより、支持部材の加熱器による熱変形を抑制することができる。
本明細書に係る別態様の除湿機は、前記支持軸は、前記連結部分に一体に形成された第１軸部と、前記第１軸部と嵌合する第２軸部を有し、前記耐熱部は前記第２軸部により構成されている。これにより容易に実施できる。
本明細書に係る別態様の除湿機は、前記第１軸部は、筒状をし、その周壁に欠け部分を有し、前記第２軸部は、前記第１軸部内に嵌合する状態で前記欠け部分に嵌る凸部分を有する。これにより、第２軸部は第１軸部に対して回転規制される。
【０００９】
＜実施形態＞
１．全体
実施形態では、吸湿材等で水分を取り除く、所謂、デシカント式の除湿機について説明する。
除湿機Ａは、図１に示すように、筐体Ｃの吸気口５２１から吸気した空気を除湿して排気口６５５から排出する。本明細書では、吸気口５２１が存在する側を便宜上表側又は前側とするが、排出口６５５側を表側又は前側としてもよいし、化粧板Ｃ３が存在する側を表側又は前側としてもよい。なお、表裏方向と上下方向と直交する方向を横方向とする。
【００１０】
図２及び図３に示すように、除湿機Ａは、除湿機能を発揮する除湿機能部Ｂを筐体Ｃ内に備え、除湿により発生した水分を貯留する水タンクＤを備える。
除湿機Ａは、図４及び図５に示すように、支持部材Ｅを備え、除湿機能部Ｂを構成する各機能ユニットが支持部材Ｅに装着されている。ここでは、各機能ユニットとして、例えば、除湿ローターＦ、熱交換器Ｇ、加熱器Ｈ、レシーバＩ、連通路Ｊ、上カバーＫ、下カバーＬ、主ファンユニットＭ、回路ユニットＰ等がある。また、除湿機能を操作するための操作ユニットＱが図１に示すように筐体Ｃに設けられている。一例である除湿機Ａは、少なくとも、除湿ローターＦと熱交換器Ｇとを備えている。
なお、除湿ローターＦは除湿用モータＲにより、主ファンユニットＭの主ファンＮは主ファン用モータＳにより、連通路Ｊ内を送風するための副ファンＴは副ファン用モータＵにより、それぞれ駆動される。
除湿機Ａは、設置空間の空気の温度や湿度を検知して自動運転できるように、センサユニットＶを備える。
以下、各構成について説明する。
【００１１】
２．除湿機能部の構成
（１）除湿ローター
図６を用いて説明する。
除湿ローターＦは、筐体Ｃ内に吸い込んだ空気から水分を吸着する吸水体１と、吸水体１を回転自在に支持するための除湿軸体３と、吸水体１を回転させるための除湿フレーム５とを備える。
吸水体１は例えばゼオライト等の吸水材（吸湿材）から構成された円盤状をしている。
除湿軸体３は、円筒状をし、吸水体１の貫通孔１ａの内に挿入される。除湿軸体３の内周面は、支持部材Ｅ側に広がる段差状をし、図１７に示すように、中径部３ａが支持部材Ｅの第１軸部１１７に、小径部３ｂが第１軸部１１７内の第２軸体７にそれぞれ外嵌する。これにより、除湿軸体３が支持部材Ｅの支持軸１１８に回転自在に支持される。なお、支持軸１１８は、第１軸部１１７と第２軸体７とから構成される。
除湿軸体３は、外周面の裏側端に径方向の外側に張り出す外鍔部３ｃと、軸方向に沿って延伸するリブ部３ｄとを有している。吸水体１の貫通孔１ａの裏側端の周辺部が外鍔部３ｃにより支持され、貫通孔１ａの周面がリブ部３ｄに位置決めされる。
除湿フレーム５は、吸水体１の外周形状を内周面に有する円環状（円筒状）をし、外周面の裏側半分が、図４及び図５に示す除湿用モータＲのギア６と噛合するギア部５ａに、表側半分が支持部材Ｅの筒部１１１の円周壁部分１１２に支持される（当接する）支持部５ｂにそれぞれなっている。
除湿フレーム５の内側には吸水体１が挿入され、内周面５ｃは吸水体１の挿入方向に先細りする傾斜面となっている。これにより、吸水体１が除湿フレーム５により支持される。
【００１２】
（２）加熱器
図７を用いて説明する。
加熱器Ｈは加熱ケース１１内にヒータ９を収容している。ここでのヒータ９はニクロム線を利用し、除湿ローターＦの周方向に沿って延伸した後に逆向きに折り返されるジグザグ状をしている。
加熱ケース１１は、前面が開放する箱部１２と、箱部１２の開放縁から外側に延伸する延伸部１３とを有する。箱部１２は後側から見たときに扇状の中心側が欠けたような形状をし、径方向に延伸する一方の側壁１２ａに連通路Ｊ用の開口１２ｂが設けられている。延伸部１３（外周縁）は後側から見たときに扇状をしている。加熱器Ｈは、温度センサ１５とサーミスタ１７とを箱部１２の蓋壁１２ｃに備える。加熱器Ｈは扇状の箱部１２内に除湿ローターＦの中心から外周付近までの領域にヒータ９を備えることとなり、吸水体１の中心から外周までを均一に加熱することができる。これにより、吸水体１の局部的な劣化を抑制でき、長期間に亘って除湿機能を維持できる。
【００１３】
（３）レシーバ
図８を用いて説明する。
レシーバＩは、図１６に示すように、加熱器Ｈと対向する状態で、支持部材Ｅに装着される。レシーバＩは、除湿ローターＦの吸水体１が加熱器Ｈにより加熱され、蒸発した水分を含んだ空気を熱交換器Ｇへと案内する機能を有する。
レシーバＩは、「Ｖ」字状をする板状部２１と、「Ｖ」字の内側縁に跨って前側に突出する突出部２３と、突出部２３における「Ｖ」字の開口側の端縁から後側に円弧状に延伸する傘部２５と、傘部２５の後端縁から「Ｖ」字の連結部分２１ａと反対側に張り出す鍔部２７とを有する。
板状部２１における「Ｖ」の連結部分２１ａは、円板状をし、その中心に主孔２１ｂと、主孔２１ｂから離れた位置に副孔２１ｃとを有している。なお、板状部２１の周縁には、裏側に延びる鍔部分２１ｄを有している。
レシーバＩは、裏側から見ると扇状をし、加熱器Ｈを表側から見た形状と略一致する。レシーバＩは、突出部２３の凹み部分２３ａを有し、当該凹み部分２３ａにサーミスタ２９と温度センサ３０とを備える。
レシーバＩは、突出部２３における「Ｖ」字の開口側の側壁２３ｃに貫通孔２３ｂを有している。水分を含んだ空気は、貫通孔２３ｂを通って熱交換器Ｇへと送出される。
【００１４】
（４）連通路
主に、図４及び図５を用いて説明する。
連通路Ｊは、熱交換器Ｇにより湿気が取り除かれた空気を加熱器Ｈに送り込むための風路を形成する。なお、風路の一部は支持部材Ｅとで形成される。
連通路Ｊは、表面が開放する風路本体３１と、風路本体３１の開放口の一部を覆う風路蓋体３３とを備え、支持部材Ｅに装着されている。連通路Ｊは、図１８の（ａ）に示すように、除湿ローターＦの吸水体１と重なる部分に風路蓋体３３を有する。風路本体３１と風路蓋体３３とから構成される連通路Ｊの上端（下流端）は、加熱器Ｈの開口１２ｂ（図７参照）に接続されている。なお、風路本体３１において、風路蓋体３３により覆われていない部分は支持部材Ｅの第３ベース部分１０７と下凹入部１４１とで風路が形成される。
図４に示すように、連通路Ｊの内部には送風用の副ファンＴが配され、図５に示すように、連通路Ｊの外部に副ファンＴ用の副ファン用モータＵが設けられている。ここでは、副ファンＴは、連通路Ｊの上流口（下端側開口）に配され、その後方に副ファン用モータＵが設けられている。なお、副ファンＴが設けられている部分の支持部材Ｅは、図５に示すように、貫通孔１４６ａを有し、当該貫通孔１４６ａを介して連通路Ｊは支持部材Ｅの表側の下案内空間Ｓ２（図２０の（ｂ）参照）と連通する。
連通路Ｊは、裏側から見る（図１８の（ａ）である）と、除湿ローターＦを避けるように、「く」字状をしている。換言すると、連通路Ｊは、「く」字の屈曲部分が第１ベース部分１０３の貫通孔１０３ａと反対側に向くように、設けられている。これにより、第１ベース部分１０３の貫通孔１０３ａを設ける領域を確保できる。
【００１５】
（５）熱交換器
主に、図９を用いて説明する。
熱交換器Ｇは多数本の樹脂パイプ３７からなる熱交換部３９を備える。熱交換器Ｇは、熱交換部３９の上端部を支持する上支持部４１と、熱交換部３９の下端部を支持する下支持部４３とを備える。
【００１６】
（５−１）樹脂パイプ
ここでの樹脂パイプ３７は横断面が矩形状又は方形状をしている。多数本の樹脂パイプ３７はその筒軸が平行となるように支持にされている。熱交換部３９は、筐体Ｃの表ケースＣ１の吸気口５２１から吸気される方向（吸気方向とする）に複数本（例えば４本）の樹脂パイプ３７を密着する状態で備えるパイプ群３８が、吸気方向と樹脂パイプ３７のパイプ軸方向（パイプ軸と平行な方向であり、本実施形態では上下方向と略一致する）とに直交する方向（この方向を「並設方向」とし、本実施形態では横方向と略一致する）に間隔（ここでは等間隔である）をおいて複数個配されてなる。
パイプ群３８は、１つのパイプ群３８を構成する複数本の樹脂パイプ３７における並設方向と直交する側面が一平面内に位置し且つ並設方向と平行な側面同士を密着（接触）する状態で、上支持部４１及び下支持部４３により支持されている。これにより、吸気口５２１から吸気された空気により熱交換部３９が効率よく冷却される。なお、熱交換部３９は吸気口５２１の裏側に位置する。
【００１７】
（５−２）上支持部
上支持部４１は、複数個のパイプ群３８が並設する並設方向に長い板状をし、各パイプ群３８が挿入される貫通溝４１ａを並設方向に間隔をおいて複数個有する。
貫通溝４１ａは、パイプ群３８の挿入方向（上端側）に先細りするように設けられている。これにより、パイプ群３８の上端部が支持される。
上支持部４１は、貫通溝４１ａの内側に張り出す鍔部分４１ｂを貫通溝４１ａにおける挿入先端部に有している。鍔部分４１ｂはパイプ群３８の通過を許容しないストッパーとして機能する。なお、上支持部４１は前壁４１ｃのパイプ群３８の挿入口側に欠け部分４１ｄを有している。
【００１８】
（５−３）下支持部
下支持部４３は、複数個のパイプ群３８の並設方向に長い板状をし、各パイプ群３８が挿入される貫通溝４３ａを並設方向に間隔をおいて複数個有する。
貫通溝４３ａは、パイプ群３８の挿入方向（下端側）に先細りするように設けられている。これにより、パイプ群３８の下端部が支持される。
下支持部４３は、貫通溝４３ａの内側に張り出す鍔部分４３ｂを貫通溝４３ａにおける挿入先端部に有している。鍔部分４３ｂはパイプ群３８の通過を許容しないストッパーとして機能する。
【００１９】
（６）上カバー
主に、図１０を用いて説明する。
上カバーＫは、支持部材Ｅの上凹入部１３１と第３ベース部分１０７と上側第２側板部分１５５とで、レシーバＩの貫通孔２３ｂから送出される空気を熱交換部３９に案内する機能を有する。具体的には、上カバーＫは、熱交換部３９に空気を案内する上案内空間Ｓ１を形成する壁部を有している。
上カバーＫは、上案内空間Ｓ１の表側に位置する表壁部４７と、上案内空間Ｓ１の横側（レシーバＩ側）に位置する横壁部４９とを有する。
上カバーＫは、図１０の（ｂ）に示すように、レシーバＩの貫通孔２３ｂから送出された空気の進行方向を変更させるガイド壁部５１を表壁部４７と横壁部４９とに跨る状態で有する。上カバーＫは支持部材Ｅに上カバーＫを固定する固定部を有している。ここでの固定部は、例えば、裏側に延伸する係止片５６と、ボス部５７の底部分５７ａに形成された貫通孔５７ｂとから構成されている。
上カバーＫは、表壁部４７の下端部から裏側に突出し横方向に延伸する下横突条部５３と、下横突条部５３に対して上方に間隔をおいて裏側に突出し横方向に延伸する上横突条部５５とを有する。図１９の（ａ）に示すように、下横突条部５３は熱交換部３９の最も表側に位置する樹脂パイプ３７に当接し、上横突条部５５は上支持部４１に当接する。
上カバーＫは、表壁部４７の上端縁から裏側に平坦板状に延伸する上鍔部５９と、上鍔部５９に対して下部側に離れた部位から裏側に平坦板状に延伸する下鍔部６１とを有している。図１９の（ａ）に示すように、上鍔部５９と下鍔部６１との間に支持部材Ｅの上天板部１８１が挿入される。これにより、上案内空間Ｓ１の密閉性を高めることができる。
【００２０】
（７）下カバー
主に、図１１を用いて説明する。
下カバーＬは、支持部材Ｅの下凹入部１４１と下立設板部１６１とで、熱交換器Ｇを通過した空気を連通路Ｊの上流側に案内する機能と、熱交換器Ｇを通過する空気から液化した水を水タンクＤに案内する機能とを有する。具体的には、下カバーＬは、熱交換部３９を通過した空気を案内する下案内空間Ｓ２（図１９の（ｂ）、図２０の（ｂ）参照）を形成する壁部を有している。
下カバーＬは、下案内空間Ｓ２の表側に位置する表壁部６５と、下案内空間Ｓ２の横側に位置する横壁部６７と、下案内空間Ｓ２の底側に位置する底壁部６９と、下案内空間Ｓ２の裏側に位置する裏壁部７１とを有している。なお、ここでは、横壁部６７は上下方向に延伸する部分をいい、横壁部６７の下端部側の傾斜部分は便宜上底壁部６９としている。
底壁部６９は、横方向の中間部分６９ａが最も低くなっており、その両側が中間部分６９ａから上り勾配の傾斜部分６９ｂとなっている。底壁部６９は、中間部分６９ａから裏側に延伸する延伸部分６９ｃを有し、当該延伸部分６９ｃに貫通孔６９ｄを有する。貫通孔６９ｄから液化した水が水タンクＤ側に移動する。なお、裏壁部７１は延伸部分６９ｃの周縁から立設する立設壁７１ａと、延伸部分６９ｃの貫通孔６９ｄの周囲から下方に延伸する円筒部分７１ｂを有する。
下カバーＬは支持部材Ｅに下カバーＬを固定する固定部を有している。ここでの固定部は、例えば、横壁部６７の裏側端部から横方向の外側に突出する係合凸部分６７ａから構成されている。
表壁部６５は、両側の横壁部６７よりも上方に張り出す張出部分６５ａを有し、図１９の（ｂ）に示すように、熱交換部３９の下支持部４３に当接する。なお、表壁部６５は張出部分６５ａの上端から表側に張り出す表鍔部分６５ｂを有する。
【００２１】
（８）主ファンユニット
主に図４及び図５を用いて説明する。
主ファンユニットＭは、支持部材Ｅに装着されるケーシング７５と、ケーシング７５に装着された主ファン用モータＳと、主ファン用モータＳに連結・支持された主ファンＮとを備える。
ケーシング７５はベース部７７を有し、ベース部７７の裏側に主ファンＮが、ベース部７７の表側に主ファン用モータＳがそれぞれ設けられている。
ベース部７７は、図１７に示すように、主ファン用モータＳを装着するための装着部分７７ａに円形状の貫通孔７７ｂを有し、当該貫通孔７７ｂを利用して主ファン用モータＳの回転軸が延伸する。主ファンＮの中心部は主ファン用モータＳの回転軸に連結されている。ベース部７７は、図４に示すように、主ファン用モータＳの装着部分の周りに円弧状の貫通孔７７ｃを複数個有している。これにより、ベース部７７の表裏で空気が連通可能となる。
【００２２】
主ファンＮは、ここではシロッコファンが利用され、シロッコファンの内周が、複数個の円弧状の貫通孔７７ｃの外側に位置するように、ベース部７７に装着されている。
ベース部７７の外周縁は、主ファンユニットＭを裏側から見ると、主ファンＮの中心軸周りを、アナログ時計の１１時を指す短針の位置から開始して周方向に移動するにしたがって中心から離れる渦巻き状であって上部側で上方に延びるような形状をしている。
ケーシング７５は、ベース部７７の外周縁から裏側に延伸する延伸板部７９を有している。延伸板部７９と、裏ケースＣ２の裏壁６１１の裏延伸部６２１とで排気路が形成される。これにより、主ファンＮが回転すると、空気がベース部７７の表側から裏側へ吸引された後、延伸板部７９により上方へと案内される。
ケーシング７５は、支持部材Ｅに装着されている回路ユニットＰや支持部材Ｅに固定するための固定部をベース部７７に有する。ここでの固定部は、ベース部７７から前方に延伸するボス部８１の底に形成された貫通孔（ボス孔ともいう）により構成される。なお、回路ユニットＰに固定するためのボス部８１は、支持部材Ｅに固定するためのボス部よりも延伸量が短い。
ケーシング７５は、連通路Ｊに設けられている副ファン用モータＵを保護する保護壁８３をベース部７７に有している。
【００２３】
（９）回路ユニット
図４及び図５を用いて説明する。
回路ユニットＰは回路ケース８５内に回路を収容してなる。回路は、例えば、除湿機Ａの各機能部の動作を制御回路、電力を供給したりする電源回路等を含む。
回路ケース８５は、図１９の（ａ）に示すように、回路を構成するための複数個の電子部品８８を実装する回路基板８６を収容する箱状のケース本体８７と、ケース本体８７の蓋を塞ぐ蓋体８９とから構成される。
回路ケース８５は、回路ユニットＰを支持部材Ｅに固定するための固定部を有する。ここでの固定部は、蓋体８９から表側に延伸するボス部９１に形成された貫通孔が利用されている。なお、蓋体８９には、ケーシング７５を固定するためにボス部８９ｂ（図１９（ａ）参照）にねじ孔８９ａを有している。
【００２４】
（１０）センサユニット
図４及び図５を用いて説明する。
センサユニットＶは、ここでは、温湿度センサ９２と、転倒センサ９３と、センサ用基板９４とから構成される。これにより、温湿度センサ９２と転倒センサ９３とを別基板に設ける必要がなく、安価に実施できる。センサユニットＶは、図２２の（ａ）に示すように、除湿機Ａの高さ方向（上下方向）の中央側に設けられている。これにより、転倒センサ９３による転倒の誤動作を少なくできる。
【００２５】
（１１）支持部材
（１１−１）概要
図４を用いて説明する。
支持部材Ｅは除湿ローターＦを回転自在に支持するローター支持機能を有する。支持部材Ｅは加熱器Ｈを装着する加熱器装着機能を有する。支持部材ＥはレシーバＩを装着するレシーバ装着機能を有する。支持部材Ｅは連通路Ｊを装着する連通路装着機能を有する。支持部材Ｅは熱交換器Ｇを装着する熱交換器装着機能を有する。支持部材Ｅは回路ユニットＰを装着する回路ユニット装着機能を有する。支持部材Ｅは主ファンユニットＭを装着する主ファンユニット装着機能を有する。支持部材Ｅは上カバーＫを装着する上カバー装着機能を有する。支持部材Ｅは下カバーＬを装着する下カバー装着機能を有する。ここでは、各機能を発揮するために係合手段や螺合手段等を利用している。
【００２６】
（１１−２）ベース部
支持部材Ｅは表裏方向と直交する板状のベース部１０１を有している。
図１５を用いてベース部１０１を説明する。
ベース部１０１は表ケースＣ１の吸気口５２１の裏側に位置する第１ベース部分１０３を有する。第１ベース部分１０３は、熱交換器Ｇの樹脂パイプ３７のパイプ軸方向の略中央領域に複数個の貫通孔１０３ａを有する。複数個の貫通孔１０３ａはマトリクス状に等間隔で配されている。これにより、ベース部１０１の貫通孔１０３ａを通過する空気を均一化できる。なお、一例としての貫通孔１０３ａは横方向に長い矩形状をしている。これにより、貫通孔１０３ａを高密度で設けることができる。なお、第１ベース部分１０３における複数個の貫通孔１０３ａが形成されている部分は格子孔部を構成する。
第１ベース部分１０３は貫通孔１０３ｂ及び後述の凹部１２１用の開口１０３ｃを有している。貫通孔１０３ｂは除湿ローターＦ用であり、開口１０３ｃは除湿用モータＲ用である。なお、貫通孔１０３ｂは、複数個の貫通孔１０３ａが形成されている領域に対して、熱交換器Ｇのパイプ群３８（図９参照）の並設方向に隣接する。換言すると、貫通孔１０３ａと貫通孔１０３ｂとは、支持部材Ｅを裏側から装置を見たときに、貫通孔１０３ａがパイプ群３８の並設方向の一方側（右側）に、貫通孔１０３ｂが並設方向の他方側（左側）にそれぞれ位置する。
【００２７】
ベース部１０１は、貫通孔１０３ｂにおける貫通孔１０３ａと反対側部分の上方に第２ベース部分１０５を、貫通孔１０３ｂにおける貫通孔１０３ａと反対側部分の下方に第３ベース部分１０７を有している。なお、第１ベース部分１０３、第２ベース部分１０５及び第３ベース部分１０７は表裏方向において略同じに位置に存在する（換言すると、同一平面内に存在する）。
【００２８】
図１４を用いて説明する。
支持部材Ｅは、第１ベース部分１０３の複数個の貫通孔１０３ａの近傍を横方向に横切る横桟部分１０８を有している。なお、横桟部分１０８は、本発明の「桟部」の一例に相当する。横桟部分１０８は第１ベース部分１０３から表側に凹入する。横桟部分１０８は、後述の第２側板部１７３と筒部１１１の円周壁部分１１２とに連結する。これにより第１ベース部分１０３の強度を高めることができる。
横桟部分１０８の表面は、表裏方向において、筒部１１１の延伸部分１１５Ａの表面と略一致する。表側から支持部材Ｅを見ると、横桟部分１０８の延伸上に延伸部分１１５Ａが存在する。横桟部分１０８の表面には櫛部分１０９が一体で設けられている。櫛部分１０９は本発明の「櫛部」の一例に相当する。
櫛部分１０９は、表側に延伸する歯１０９ａ（図１７参照）を横方向に間隔をおいて複数有する。複数の歯１０９ａは並設方向に隣接するパイプ群３８間には入り込む。歯１０９ａの横方向の幅（寸法）は隣接するパイプ群３８の隙間に対応し、複数個の歯１０９ａのピッチはパイプ群３８のピッチに等しい。
【００２９】
（１１−３）筒部
支持部材Ｅは、図１３に示すように、ベース部１０１の貫通孔１０３ｂの開口縁から表側に延伸する筒部１１１を有している。
図１５を用いて、筒部１１１を説明する。
筒部１１１は、裏側から見ると円形状をする円周壁部分１１２と、円周壁部分１１２の表側端から筒軸に向かって張り出す内鍔部分１１３を有している。筒部１１１は、第２ベース部分１０５との間に円弧状に凹入する凹入部分１１４（図１３参照）を有している。
筒部１１１は、内鍔部分１１３における周方向に間隔をおいて複数部位（例えば３部位）から筒軸に向かって延伸する複数本（例えば３本）の延伸部分１１５と、複数本の延伸部分１１５が交差する連結部分１１６とを有する。なお、延伸部分１１５は、明細書に係る態様の「延伸部」の一例に相当する。
筒部１１１は、除湿ローターＦを回転自在に支持する支持軸１１８を連結部分１１６に有している。ここでの、支持軸１１８は、第１軸部１１７と第２軸体７とから構成されている。第１軸部１１７は、裏側に円筒状に延伸し、連結部分１１６に一体で設けられている。
【００３０】
延伸部分１１５の内の１本の延伸部分１１５Ａは、パイプ群３８の並設方向に延伸する。筒部１１１は、図１４に示すように、延伸部分１１５Ａの表面に櫛部分１１９を一体で有する。櫛部分１１９は、表側に延伸する歯１１９ａ（図１７参照）を横方向に間隔をおいて複数有する。複数の歯１１９ａは並設方向に隣接するパイプ群３８間には入り込む。歯１１９ａの横方向の幅（寸法）は隣接するパイプ群３８の隙間に対応し、複数個の歯１１９ａのピッチはパイプ群３８のピッチに等しい。
【００３１】
第１軸部１１７は、図１６に示すように、軸方向に延伸する欠け部分１１７ａを周壁１１７ｂに有する。第１軸部１１７は周壁１１７ｂの内周面に周方向に間隔をおいて複数本のリブ部１１７ｃを有している。なお、第１軸部１１７には、第２軸体７の突出部７ａが欠け部分１１７ａに嵌る状態で、第２軸体７が挿入される。第２軸体７は明細書に係る態様の「第２軸部」の一例に相当し、突出部７ａが明細書に係る態様の「凸部分」の一例に相当する。
第２軸体７には加熱器Ｈが装着される。第２軸体７は耐熱性樹脂材料により構成されている。ここでは、耐熱性樹脂材料として、ポリブチレンテレフタレート（ＰＢＴ）を利用している。つまり、支持軸１１８は、加熱器Ｈが装着される部分に第２軸体７を備え、加熱器Ｈが装着される部分に耐熱部を有する。
【００３２】
（１１−４）凹部
支持部材Ｅは、図１３に示すように、ベース部１０１の開口１０３ｃの開口縁から表側に凹入する凹部１２１を有している。
図１３を用いて、凹部１２１を説明する。
凹部１２１は段付き有底筒状に凹入する。凹部１２１は、広い範囲で凹入する大凹部分１２３と、大凹部分１２３からさらに凹入する小凹部分１２５とを有する。
大凹部分１２３は、図１２に示すように、ボス部分１２７を有している。ボス部分１２７は、小凹部分１２５を挟んだ２箇所にある。
凹部１２１は、図１３の（ｂ）に示すように、筒部１１１の円周壁部分１１２の欠け領域１１２ａにより筒部１１１とつながる。
【００３３】
（１１−５）上凹入部
支持部材Ｅは、図１２及び図１３に示すように、表側に凹入する上凹入部１３１をベース部１０１の上部側に有している。
図１５を用いて説明する。
上凹入部１３１は、ベース部１０１の第１ベース部分１０３の上方であって第２ベース部分１０５の側方に設けられている。上凹入部１３１は横方向に長い矩形状に凹入する。
上凹入部１３１は、横方向に延伸する上側下板部分１３２と、横方向に延伸する上側上板部分１３３と、上下方向に延伸する上側横板部分１３４，１３５と、上側底板部分１３６を有している。なお、上側上板部分１３３は上天板部１８１の一部を構成する。
上凹入部１３１は、上側下板部分１３２及び上側上板部分１３３並びに上側底板部分１３６に跨るように設けられたリブ部分１３７を複数枚（例えば２枚）有している。
上凹入部１３１は、図１２に示すように、上側底板部分１３６の下端縁から表側に突出して横方向に延伸する上側下突条部分１３８ａと、上側底板部分１３６における上側下突条部分１３８ａから上方に間隔をおいた部位から表側に突出して横方向に延伸する上側上突条部分１３８ｂを有している。
【００３４】
（１１−６）下凹入部
支持部材Ｅは、図１２及び図１３に示すように、ベース部１０１の下部側に表側に凹入する下凹入部１４１を有している。
図１５を用いて説明する。
下凹入部１４１は、ベース部１０１の第１ベース部分１０３の下方であって第３ベース部分１０７の側方に設けられている。下凹入部１４１と上凹入部１３１は第１ベース部分１０３を挟んで上下に位置する。下凹入部１４１は横方向に長い矩形状に凹入する。
下凹入部１４１は、横方向に延伸する下側上板部分１４２と、横方向に延伸する下側下板部分１４３と、上下方向に延伸する下側横板部分１４４，１４５と、下側底板部分１４６を有している。
【００３５】
下凹入部１４１は下側底板部分１４６に貫通孔１４６ａを有する。下凹入部１４１は、連通路Ｊの風路本体３１の外鍔部３１ａ（図１８の（ａ）参照）の外縁に沿って裏側に延伸する延伸部分１４７を有している。なお、延伸部分１４７は第３ベース部分１０７の延伸部分１０７ａに接続している。
下側底板部分１４６の表面は、図１２に示すように、筒部１１１の円周壁部分１１２の表面より裏側に位置する。なお、下側下板部分１４３は、下天板部１８３の一部を構成する。
下凹入部１４１と第３ベース部分１０７は、図１２及び図１４に示すように、連通路Ｊの外鍔部３１ａ（図１８の（ａ）参照）の当接する部分の複数部位から表側に延伸するボス部分１４８，１０７ｂを有し、図１５に示すように、ボス部分１４８，１０７ｂに裏側からのねじ穴１４８ａ，１０７ｃを有している。
図１２の（ｂ）に示すように、下側底板部分１４６における上端縁から下方に間隔をおいた部位から表側に突出して横方向に延伸する下側上突条部分１４６ｂを有している。下側底板部分１４６は、後述の下立設板部１６１に対して内側に間隔をおいて下立設板部１６１と平行に表側に張り出す下側下突条部分１４６ｃを有している。下側下突条部分１４６ｃは、下カバーＬ（図１１参照）が支持部材Ｅに装着された際に、下カバーＬの裏壁部７１の上端縁に当接する。これにより、下カバーＬが支持部材Ｅに対して上下方向に位置決めされる。
【００３６】
（１１−７）上立設板部
支持部材Ｅは、図１２に示すように、表側に延伸する上立設板部１５１をベース部１０１の上部側に有する。
図１４を用いて説明する。
上立設板部１５１は、上凹入部１３１の上側底板部分１３６の上端縁に設けられた上側上板部分１５２と、上側底板部分１３６の横方向における第２ベース部分１０５と反対側の端縁に設けられた上側第１側板部分１５３と、第２ベース部分１０５に設けられた上側第２側板部分１５５とを有する。なお、上側上板部分１５２は、上天板部１８１の一部を構成している。
上凹入部１３１の上側底板部分１３６と、ベース部１０１の第２ベース部分１０５と、上立設板部１５１と、上天板部１８１と、図９に示す上カバーＫとで、熱交換部３９に空気を案内する上案内空間Ｓ１（図１９の（ａ）参照）を形成する。なお、図１９の（ａ）に示すように、上凹入部１３１の上側底板部分１３６及び上側下突条部分１３８ａと、上側上突条部分１３８ｂと、上カバーＫの下横突条部５３と、上横突条部５５とで、熱交換器Ｇの上支持部４１を位置決め及び支持する。
【００３７】
（１１−８）下立設板部
支持部材Ｅは、図１２に示すように、下凹入部１４１から表側に延伸する下立設板部１６１を有する。
下立設板部１６１は、図１４に示すように、下凹入部１４１の下側底板部分１４６の横方向の両端縁に設けられた下側横板部分１６２，１６３と、下側傾斜板部分１６４，１６５と、下側底板部分１６６とを有する。
下側傾斜板部分１６４は下側横板部分１６２の下端から他方の下側横板部分１６３側に向かって下がり勾配で傾斜する。下側傾斜板部分１６５は下側横板部分１６３の下端から他方の下側横板部分１６２側に向かって下がり勾配で傾斜する。下側底板部分１６６は、下側傾斜板部分１６４，１６５の下端から下側に凹入している。
下側底板部分１６６には、図１２の（ａ）に示すように、貫通孔１６６ａが設けられている。貫通孔１６６ａは、図１１に示す下カバーＬが支持部材Ｅに装着されると、下カバーＬの延伸部分６９ｃの貫通孔６９ｄと上下に一致するように設けられている。
【００３８】
下凹入部１４１の下側底板部分１４６と、下立設板部１６１と、図１１に示す下カバーＬとで、熱交換部３９を通過した空気を連通路Ｊ側に案内する下案内空間Ｓ２（図１９の（ｂ）参照）を形成する。図１９の（ｂ）に示すように、下凹入部１４１の下側底板部分１４６の下側上突条部分１４６ｂ、下側横板部分１６２，１６３の下側横突条部分１６７と張出部分１６８と、図１１に示す下カバーＬの張出部分６５ａとで、熱交換器Ｇの下支持部４３を位置決め及び支持する。
下立設板部１６１は、図１２に示すように、下凹入部１４１の下側上突条部分１４６ｂに連続する状態で、表側に延伸する下側横突条部分１６７を下側横板部分１６２，１６３に有する。下立設板部１６１は、下側横板部分１６２，１６３における下側横突条部分１６７よりも上側であって表側端部に横方向に張り出す張出部分１６８を有する。
【００３９】
（１１−９）側板部
図１４を用いて説明する。
支持部材Ｅは、横方向の端部に第１側板部１７１及び第２側板部１７３を有している。横方向において、筒部１１１が存在する側が第１側板部１７１であり、第１ベース部分１０３が存在する側が第２側板部１７３である。
第１側板部１７１は、ベース部１０１の第２ベース部分１０５及び第３ベース部分１０７の表面から上下方向に沿って表側に延伸する。なお、第２ベース部分１０５と第３ベース部分１０７との間は、筒部１１１の円周壁部分１１２の直線部分１１２ｂにより構成されている。
第２側板部１７３は、ベース部１０１の第１ベース部分１０３の横方向の端縁から上下方向に沿って表側に延伸する。なお、図１２の（ａ）に示すように、上凹入部１３１の上側第１側板部分１５３と下凹入部１４１の下側横板部分１４５との一部は、第２側板部１７３を構成する。
【００４０】
（１１−１０）延伸板部
図１２を用いて説明する。
支持部材Ｅは、第１側板部１７１の横方向の外側に第１延伸板部１７５を、第２側板部１７３の横方向の外側に第２延伸板部１７７をそれぞれ有する。
第１延伸板部１７５は、図１２の（ｂ）に示すように、筒部１１１のある部位１７５ａでは第１側板部１７１の表側端部にあり、それ以外の部位１７５ｂ，１７５ｃでは第１側板部１７１の裏側端にある。
第２延伸板部１７７は、図１２の（ａ）に示すように、上凹入部１３１のある部位１７７ａと下凹入部１４１のある部位１７７ｂでは第２側板部１７３の裏側端にあり、第１ベース部分１０３の上部側に位置する部位１７７ｃと下部側に位置する部位１７７ｄでは第２側板部１７３の表側端にあり、第１ベース部分１０３の中間に位置する部位１７７ｅでは表裏方向の中間側にある。
【００４１】
（１１−１１）天板部
支持部材Ｅは、図１３に示すように、上端縁から表側に延びる上天板部１８１と、下端縁から表側に延びる下天板部１８３とを有する。
上天板部１８１の一部は、上凹入部１３１の上側上板部分１３３である。下天板部１８３の一部は、下凹入部１４１の下側下板部分１４３である。
【００４２】
３．除湿機能部の組み立て
（１）除湿ローター
主に図１６を用いて説明する。なお、図１６では、除湿ローターＦの取り付けを説明するため、吸水体１及び除湿フレーム５の図示を省略している。
支持部材Ｅの連結部分１１６の第１軸部１１７の欠け部分１１７ａに第２軸体７の突出部７ａが嵌るようにして、第１軸部１１７に第２軸体７を挿入する。
次に、第１軸部１１７に除湿ローターＦの除湿軸体３が嵌合するように、除湿ローターＦを筒部１１１の円周壁部分１１２内に挿入する。この状態では、図１７に示すように、第１軸部１１７が除湿軸体３の中径部３ａの内周に当接し、第２軸体７の軸部７ｂが除湿軸体３の小径部３ｂの内周に当接する。これにより、除湿ローターＦが支持部材Ｅにより回転自在に支持される。なお、上記構成では、第１軸部１１７と第２軸体７とが直接接触することはなく、熱的に縁切りされている。
【００４３】
（２）レシーバ
主に図１６を用いて説明する。
レシーバＩの鍔部２７及び連結部分２１ａを支持部材Ｅの筒部１１１の凹入部分１１４と連結部分１１６との表面に当接させる。この状態で、ねじ９９１を、表側から連結部分２１ａの主孔２１ｂ及び支持部材Ｅの連結部分１１６の主孔１１６ａを挿通させて、第２軸体７の軸部７ｂのねじ穴に螺合させる（図１７参照）。
また、ねじ９９２を、連結部分２１ａの副孔２１ｃ及び支持部材Ｅの連結部分１１６の副孔１１６ｂを挿通させて、第２軸体７の突出部７ａのねじ孔７ｃに螺合させる。この際、板状部２１の周縁の鍔部分２１ｄ間に支持部材Ｅの延伸部分１１５が嵌る。これにより、レシーバＩが支持部材Ｅに対して回転するのを規制される。
【００４４】
（３）加熱器
主に図１６を用いて説明する。
加熱器Ｈの延伸部１３を支持部材Ｅの筒部１１１の凹入部分１１４と、除湿ローターＦの除湿軸体３の裏面に当接させる。この状態で、ねじ９９３を、裏側から延伸部１３の貫通孔１３ｃ（図７参照）を挿通させて、第２軸体７の軸部７ｂのねじ孔７ｄに螺合させる。
使用に際しては、加熱器Ｈのヒータ９の熱が支持軸１１８側に伝わるが、第２軸体７を耐熱性樹脂により構成しているため、熱による変形等を防止できる。また、支持軸１１８のすべてを耐熱性樹脂材料で構成する場合に比べて安価に対策できる。
ねじ９９４を、裏側から延伸部１３の貫通孔１３ａ，１３ｂ（図７参照）、支持部材Ｅの凹入部分１１４の貫通孔１１４ａ，１１４ｂを挿通させて、レシーバＩの鍔部２７のボス部分２７ａのねじ穴２７ｂに螺合させる。この際、加熱器Ｈの延伸部１３が凹入部分１１４に嵌るため、加熱器Ｈが支持部材Ｅに対して回転するのを規制される。
このように、加熱器ＨとレシーバＩとで支持部材Ｅを挟む状態で結合されるため、加熱器ＨとレシーバＩとを個別に装着するよりも効率よく行える。また、図１７に示すように、加熱器ＨとレシーバＩとの間に除湿ローターＦが位置するため、除湿ローターＦを支持する特別な構成が不要となる。
【００４５】
（４）除湿用モータ
図４及び図５に示す除湿用モータＲは、そのギア６が図１３の（ｂ）に示す小凹部分１２５内に位置するように大凹部分１２３に配され、図１８の（ａ）に示すねじ９９５により固定される。
【００４６】
（５）連通路
連通路Ｊは、図４に示す風路本体３１と風路蓋体３３とを、図７に示す加熱器Ｈの開口１２ｂの位置合わせし、図１８の（ａ）に示すように、ねじ９９６により連通路Ｊの外鍔部３１ａを支持部材Ｅに固定する。この際、図１５に示す支持部材Ｅのベース部１０１の第３ベース部分１０７と下凹入部１４１の下側横板部分１４４と下側底板部分１４６とに、連通路Ｊの外鍔部３１ａが当接する。これにより連通路Ｊ内の密閉性を高めることができる。
また、図１５に示す支持部材Ｅの第３ベース部分１０７の延伸部分１７０ａと下凹入部１４１の延伸部分１４７とが、図１８の（ａ）に示すように、連通路Ｊの外鍔部３１ａの周縁部に沿って近接又は当接する。これにより、連通路Ｊ内の密閉性をより一層高めることができる。
連通路Ｊは、図１８の（ａ）に示すように、横方向であって支持部材Ｅのベース部１０１（第１ベース部分１０３）が存在する側と反対側の端部付近を上下方向に除湿ローターＦを横切るように設けられている。これにより、支持部材Ｅの表側から除湿ローターＦや貫通孔１０３ａを通過する空気の進行が妨げられることを少なくできる。
連通路Ｊにおける除湿ローターＦが位置する側と反対側の端部（上流側端部である）に、図４及び図５に示すように副ファンＴと副ファン用モータＵを備えているが、当該部分の支持部材Ｅは表側に凹入する下凹入部１４１となっているため、図１８（ｂ）に示すように、表裏方向の寸法を小さくできると共に表裏方向の寸法を上側から下側まで略一定に構成できる。これにより、筐体Ｃ内の空間を有効に利用できる。
【００４７】
（６）熱交換器
図９に示す熱交換器Ｇの下支持部４３を、図１２に示すように、下凹入部１４１の下側底板部分１４６と下立設板部１６１の一対の下側横板部分１６２，１６３と間の空間に上側から挿入する。この際、下支持部４３の下面は、下凹入部１４１の下側底板部分１４６の下側上突条部分１４６ｂと、下立設板部１６１の下側横板部分１６２，１６３の下側横突条部分１６７とにより近接又は支持される。下支持部４３の側面は、下凹入部１４１の下側底板部分１４６と、下立設板部１６１の下側横板部分１６２，１６３と、張出部分１６８とに近接又は当接する。これにより、熱交換器Ｇの下支持部４３が支持される。
【００４８】
下支持部４３の上記の挿入に合わせて、図９に示す各パイプ群３８の隙間に、図１４に示す横桟部分１０８の櫛部分１０９の歯１０９ａと、筒部１１１の延伸部分１１５Ａの櫛部分１１９の歯１１９ａが位置するように、熱交換部３９を設置する。これにより、樹脂パイプ３７が長期の使用により変形しても、横方向に隣接するパイプ群３８が接触するのを規制できる。これにより、長期にわたって使用してもパイプ群３８間を通過する空気量を一定に維持できる。
櫛部分１０９，１１９は、筒部１１１の延伸部分１１５Ａを利用して設けられており、他の部位に櫛部分１１９を設ける場合に比べて、パイプ群３８の間を通過する空気の抵抗を少なくできる。
【００４９】
櫛部分１０９，１１９の歯１０９ａ，１１９ａにおける表裏方向の寸法（高さ）は、図１７に示すように、パイプ群３８における表裏方向の寸法の１／３倍以上２／３倍以下の範囲に構成されているため、パイプ群３８の熱交換領域とパイプ群３８の支持領域との両領域を確保できる。なお、ここでの表裏方向は、樹脂パイプ３７のパイプ軸方向とパイプ群３８の並設方向とに直交する方向である。また、ここでの表裏方向は、筐体Ｃ内であって支持部材Ｅの表側を流れる空気の向きでもある。
また、歯１０９ａ，１１９ａは、図１４に示すように、表側から見ると、樹脂パイプ３７のパイプ軸方向に長い矩形状をしている。これにより、樹脂パイプ３７に接触する場合は広い領域で接触することとなり、樹脂パイプ３７に局所的な応力集中を防止できる。
【００５０】
熱交換器Ｇは、図１７に示すように、櫛部分１１９により支持されていないパイプ群３８が存在するが、図２０に示すように、レシーバＩにおける突出部２３から張り出す張出板部２４により、横方向の最も端に存在するパイプ群３８が支持されている。これにより、櫛部分１１９により支持されていない樹脂パイプ３７が長期使用により変形しても、上支持部４１から抜けるようなことはない。
【００５１】
熱交換部３９のパイプ群３８を櫛部分１０９，１１９に配することで、図１９の（ａ）に示すように、上支持部４１の裏側の上端縁が、上凹入部１３１の上側底板部分１３６の上側上突条部分１３８ｂにより係止される。これにより、熱交換器Ｇの上方向への移動が規制される。なお、この状態では、上支持部４１の裏面は、図１９の（ａ）に示すように、上凹入部１３１の上側底板部分１３６の上側下突条部分１３８ａにより裏側から支持される。上支持部４１の横方向の端面は、図２０の（ａ）に示すレシーバＩの連結板部２６における突条部分２６ａにより支持される。これにより、上支持部４１は横方向にも規制される。
【００５２】
（７）上カバー
図１０に示す上カバーＫは、図１９の（ａ）に示すように、上カバーＫの上鍔部５９と下鍔部６１との間に上天板部１８１が嵌合するように、支持部材Ｅに近接させる。そして、係止片５６を、図１２の（ｂ）に示す上立設板部１５１の上側第１側板部分１５３の貫通孔１５３ａと、第１側板部１７１の貫通孔１７１ａに係合させる。これにより、加熱器Ｈにより加熱された空気がレシーバＩから熱交換器Ｇの上流側に案内する上案内空間Ｓ１が形成される。
この状態では、図１９の（ａ）に示すように、熱交換器Ｇの上支持部４１の表面が上カバーＫの上横突条部５５により支持され、パイプ群３８の表面が上カバーＫの下横突条部５３により支持される。このように、上カバーＫを支持部材Ｅに装着することで、熱交換器Ｇを固定具を利用することなく、熱交換器Ｇの上部側（上支持部４１）を支持できる。
【００５３】
上カバーＫを支持部材Ｅに装着した状態では、上カバーＫのボス部５７内に、レシーバＩの板状部２１に形成されているボス部分２１ｅが嵌合し、上カバーＫの板部分５８がレシーバＩの連結板部２６に当接する。なお、レシーバＩの連結板部２６は、支持部材Ｅの上凹入部１３１の上側横板部分１３４に当接している。このように、支持部材Ｅの上凹入部１３１、レシーバＩ、熱交換器Ｇ及び上カバーＫが複数個所で当接してため、これらのユニットをガタ付きなく支持できる。
【００５４】
（８）下カバー
図１１に示す下カバーＬは、図１２に示す下立設板部１６１により形成される空間に挿入される。この挿入により、下カバーＬの横壁部６７の係合凸部分６７ａが、図１２に示すように、下立設板部１６１の下側横板部分１６２，１６３の貫通孔１６２ａ，１６３ａに係合する。この状態では、熱交換器Ｇの下支持部４３の表面が、図１９の（ｂ）に示すように、下カバーＬの表壁部６５の張出部分６５ａにより支持される。このように、下カバーＬを支持部材Ｅに装着することで、熱交換器Ｇを固定具を利用することなく、熱交換器Ｇの下部側（下支持部４３）を支持できる。
【００５５】
（９）回路ユニット
回路ユニットＰは、図４及び図５に示すように、回路ケース８５に設けられたボス部９１を挿通するねじ９９７（図２１（ａ）参照）が、図５に示す支持部材Ｅのボスねじ８０１に螺合することで、支持部材Ｅに装着される。
装着した状態では、回路ユニットＰは、支持部材Ｅの裏側であって主ファンユニットＭと支持部材Ｅとの間に位置する。装着した状態では、図１９の（ａ）に示すように、回路ユニットＰの表面（ケース本体８７の表面）が支持部材Ｅの第１ベース部分１０３や上凹入部１３１のリブ部分１３７に当接する。これにより、回路ユニットＰを安定した状態で装着できる。
【００５６】
（１０）主ファンユニット
主ファンユニットＭは、図４及び図５に示すように、ケーシング７５に設けられた複数個（ここでは、３個）のボス部８１を挿通するねじ９９８（図２１の（ａ）参照）が図５に示す支持部材Ｅのボスねじ８０３に螺合し、ケーシング７５に設けられた貫通孔を挿通するねじ９９９が図５に示す回路ユニットＰの回路ケース８５のねじ孔８９ａに螺合することで、支持部材Ｅに装着される。なお、ケーシング７５に設けられたボス部８２は、支持部材Ｅのボス部８０５に嵌合する。
ケーシング７５は、図１９の（ａ）に示すようにベース部７７が回路ユニットＰの裏面に当接し、図２１の（ｂ）や図２２の（ｂ）に示すように延伸板部７９が連通路Ｊの風路本体３１に当接する。これにより、主ファンＮの回転中におけるケーシング７５の振動による音の発生を抑えることができる。
（１１）センサユニット
センサユニットＶは、図１７に示すように、支持部材Ｅの第２延伸板部１７７の部位１７７ｅに図外のねじにより固定されている。
【００５７】
４．筐体
筐体Ｃは、図２に示すように、表ケースＣ１と裏ケースＣ２と化粧板Ｃ３とを備える。化粧板Ｃ３は、側方から見ると上下方向に長い長尺状をし、長手方向に沿う中心軸に対して短手方向に対称な形状をし、長手方向の中心軸を境界として表ケースＣ１と裏ケースＣ２とに組み込まれる。なお、図２、図３及び図２５では化粧板Ｃ３は裏ケースＣ２に組み込まれている。
（１）表ケース
主に図２３を用いて説明する。
表ケースＣ１は、表ケース本体５０１と、図２に示すプレフィルタ５０３と、操作ユニットＱとを備える。ここでは、表ケースＣ１は、除湿機Ａを移動させるためのハンドル５０５を有している。
【００５８】
表ケース本体５０１は、上下に長い直方体状の筐体Ｃを表裏で略２分したような形状をしている。表ケース本体５０１は、表壁５１１、表側壁５１３，５１５、表天壁５１７及び表底壁５１９を有する。
表壁５１１は、中間領域であって熱交換器Ｇの表側に位置する領域に吸気口５２１を有する。吸気口５２１は複数個の貫通孔５２１ａにより構成される。貫通孔５２１ａは、ここでは横方向に長い矩形状をし、複数個の貫通孔５２１ａは方形マトリクス状に配されている。
表壁５１１は、吸気口５２１の周辺から裏側に凹入する凹入部５２３を有している。凹入部５２３は、熱交換器Ｇと表裏に重ならないで除湿ローターＦと表裏に重なる領域であってレシーバＩと重ならない領域に向かって凹入する。凹入部５２３の底壁部分５２３ａには複数個の貫通孔５２３ｂが設けられている。貫通孔５２３ｂは、上方向に長い矩形状をし、横方向に間隔をおいて形成されている。表壁５１１は下部側に開口部５２５を有している。開口部５２５は水タンクＤ用である。
【００５９】
表底壁５１９は、横方向に間隔をおいて表裏方向に平行に延伸する凸部５２７を有している。凸部５２７は水タンクＤの底壁７１７の平行溝７１７ａに対応しており、水タンクＤの筐体Ｃへの装着時のガイド部をして機能する。
【００６０】
表側壁５１５は化粧板Ｃ３用の欠け部５１５ａ（図３参照）を有する。表側壁５１３，５１５の断面は、図２６に示すように、裏側壁６１３，６１５及び化粧板Ｃ３で横方向の外方へ張り出す円弧状をしている。表ケース本体５０１は開口部５２５に対応して表側壁５１３，５１５の内側を立設する表立設壁５３１，５３３を有している。
表立設壁５３１，５３３は、表裏方向の表側端で表側壁５１３，５１５と連結し、表裏方向の裏側端で裏側壁６１３，６１５と連結している。表ケース本体５０１は、図２３及び図２６の（ｂ）に示すように、表立設壁５３１，５３３の上端５３１ａ，５３３ａと表側壁５１３，５１５とを連結する表連結壁５３５，５３７を有している。これにより、表ケース本体５０１の剛性を向上させることができ、水タンクＤの上方に除湿機能部Ｂを配置しても、表ケース本体５０１が変形するようなことを防止できたり、安定感を向上させたりできる。また、上記構成により、表ケース本体５０１の強度を向上させることでき、ケース本体を補強しなくても、水タンクＤの上方に除湿機能部Ｂを備えることができる。
表立設壁５３１，５３３の上端５３１ａ，５３３ａの内面から相手側の表立設壁５３１，５３３に向かって延伸する延伸板部５４１，５４３を有する。延伸板部５４１，５４３は図２８の（ａ）に示すように、水タンクＤの横方向の端部の上端縁上に位置し、水タンクＤの設置の際のガイド機能と上下方向への位置規制機能を有している。
【００６１】
表天壁５１７は、横方向の中央部分の表平坦部５４５と、横方向の両端部の表隆起部５４７を有している。表平坦部５４５は、図２４に示すように凹み部５４９を有している。凹み部５４９は、横方向に長い矩形状に凹入し、裏側に位置すべき側壁部分が開放している。凹み部５４９には、図２７に示すように、操作ユニットＱが配される。操作ユニットＱは、操作スイッチ５５１、ＬＥＤ等の表示素子等を操作基板５５３に備える。操作基板５５３は凹み部５４９の底壁５４９ａに対して間隔をおいて固定されている。固定は、底壁５４９ａから延伸する段付きボス部５４９ｂの先端部分（図２４参照）が操作基板５５３の貫通孔に嵌合することで行われる。これにより、下方からの湿気が操作ユニットＱに触れ難くでき、操作基板５５３等の腐食を防止できる。
【００６２】
ハンドル５０５は、上側に円弧状に湾曲し、図２４に示すように、両端部が表天壁５１７の欠け部５４７ａに嵌合する状態で、表ケース本体５０１の内部のボスねじ５４７ｂに螺合するねじ９８１により固定される。
【００６３】
プレフィルタ５０３は、表ケース本体５０１の吸気口５２１を表側から覆う状態で、表ケース本体５０１に着脱可能に装着されている。ここでは、プレフィルタ５０３は、図２及び図２３に示すように、フレーム本体５６１の係止部５６３，５６５が表ケース本体５０１の貫通孔等の被係合部５０１ａ，５０１ｂに係合することで装着される。
【００６４】
（２）裏ケース
主に図２５を用いて説明する。
裏ケースＣ２は裏ケース本体６０１と化粧板Ｃ３とを別体で備える。
裏ケース本体６０１は、上下に長い直方体状の筐体Ｃを表裏で略２分したような形状をしている。裏ケース本体６０１は、裏壁６１１、裏側壁６１３，６１５、裏天壁６１７及び裏底壁６１９を有する。
裏壁６１１は、主ファンユニットＭのケーシング７５の延伸板部７９の裏側であってその外側（又は内側）に位置する部位に、延伸板部７９に沿って延伸する裏延伸部６２１を有する。これにより、主ファンユニットＭの送風力の低下を抑制できる。
【００６５】
裏側壁６１３は化粧板Ｃ３用の欠け部６１３ａを有する。裏側壁６１３，６１５の断面は、図２６に示すように、裏側壁６１３，６１５及び化粧板Ｃ３とで横方向の外方へ張り出す円弧状をしている。
裏ケース本体６０１は裏側壁６１３，６１５の内側を立設する裏立設壁６３１，６３３を有している。
裏立設壁６３１，６３３は、表裏方向の裏側端で裏側壁６１３，６１５と連結し、表裏方向の表側端で表側壁５１３，５１５と連結している。裏ケース本体６０１は、裏立設壁６３１，６３３の上端６３１ａ，６３３ａと裏側壁６１３，６１５とを連結する裏連結壁６３５，６３７を有している。これにより、裏ケース本体６０１の機械特性を向上させることができる。裏立設壁６３１の上端６３１ａの内面から裏壁６１１の内面を経由して相手側の裏立設壁６３３までに亘って、内側に向かって延伸する延伸板部６４１を有する。延伸板部６４１は裏ケース本体６０１を補強する。
対向する裏立設壁６３１，６３３の内面には、相手側の裏立設壁６３１，６３３に向かって突出する突出部６３１ｂ，６３３ｂが形成されている。突出部６３１ｂ，６３３ｂは上方から見ると「Ｖ」字状をしている。突出部６３１ｂ，６３３ｂは、図２８に示すように、筐体Ｃ内に挿入された水タンクＤの側壁７１３の縦溝７１３ａに係合する。
【００６６】
裏天壁６１７は、横方向の中央部分の裏平坦部６４５と、横方向の両端部の裏隆起部６４７となっている。裏平坦部６４５は、図２７に示すように凹み部６４９を有している。凹み部６４９は、横方向に長い矩形状に凹入し、裏側に位置すべき側壁部分に開口部６５１を有している。凹み部６４９の底壁部分６５３には排気口６５５を有している。排気口６５５は、複数個の貫通孔６５５ａにより構成されている。裏天壁６１７の裏隆起部６４７にはハンドル５０５用の欠け部６４７ａが設けられている。
【００６７】
５．組み立て
（１）除湿機能部の裏ケースへの取り付け
図２１の（ａ）、図２２の（ａ）及び図２５を用いて説明する。
除湿機能部Ｂは、図２２に示すねじ９８３を利用して、裏ケースＣ２に装着される。具体的には、ねじ９８３は支持部材Ｅのボス部８０７に形成された貫通孔を挿通して、裏ケースＣ２のボス部８１１に形成されたねじ孔８１３に螺合する。
除湿機能部Ｂは、裏側から見ると、図２１の（ａ）に示すように、略方形状をし、その４隅でねじ９８３により固定される。これにより、除湿機能部Ｂが裏ケースＣ２に安定した状態で固定される。なお、除湿機能部Ｂ側のボス部８０７は、裏ケースＣ２のボス部８１１に外嵌する。
【００６８】
（２）裏ケース付き除湿機能部の表ケースへの取り付け
主に、図２２の（ａ）及び図２３を用いて説明する。
表ケースＣ１は、図３に示すねじ９８５を利用して、除湿機能部Ｂに装着される。具体的には、３本のねじ９８５は、表ケースＣ１のボス部８１５に形成された貫通孔８１７を挿通して、図２２の（ａ）に示すように、第２延伸板部１７７の２個のねじ孔８２１、支持部材Ｅの第３ベース部分１０７のボス部８１８のねじ穴８２３に螺合する。１本のねじ９８５は、表ケースＣ１のボス部８１５に形成された貫通孔８１７を挿通後、図１０の（ａ）に示す上カバーＫのボス部５７の貫通孔５７ｂを挿通して、図１４に示すように支持部材Ｅの第２ベース部分１０５のボス部分１０５ｂのねじ穴１０５ｃに螺合する。
表ケースＣ１は、図２２の（ａ）に示すように、略方形状の４隅でねじ９８５により固定される。これにより、除湿機能部Ｂが表ケースＣ１に安定した状態で固定される。
なお、図２３に示す表ケースＣ１の上部側の一対のボス部８２５は、図２５に示すボス筒部８２７に嵌合する。
【００６９】
（３）組立状態
組み立てた状態では、除湿機能部Ｂの支持部材Ｅの下天板部１８３の横方向の端部が、表ケースＣ１の表連結壁５３５，５３７に載置される。これにより、除湿機能部Ｂを筐体Ｃに固定するねじ９８３、９８５の負荷を小さくできる。
組み立てた状態では、図２８に（ｂ）に示すように、表ケースＣ１の表壁５１１の開口部５２５の上部に位置する内鍔部５６７が、下天板部１８３と、下天板部１８３から立設するリブ部分１８４の基部側の表端の欠け部分１８４ａとに嵌合する。これにより、長期使用により、表ケースＣ１の開口部５２５の上部を構成する表壁５１１が変形して、水タンクＤの出し入れが困難になるようなことを防止できる。
組み立てた状態では、図２７の（ｂ）に示すように、表ケースＣ１の吸気口５２１の裏側に熱交換器Ｇの熱交換部３９があり、熱交換部３９の裏側に除湿ローターＦがある。つまり、多数本の樹脂パイプ３７が吸気口５２１と除湿ローターＦとの間に配されている。これにより、吸気口５２１から吸気した空気を、熱交換に利用した後に吸水体１を通過することとなり、吸気した空気を有効に利用できる。
組み立てた状態では、図１の（ａ）に示すように、表ケースＣ１の吸気口５２１及び貫通孔５２３ｂは、図２２の（ａ）に示すように、レシーバＩを避けるように設けられている。これにより、レシーバＩが冷却され難くなり、加熱器Ｈにより加熱された空気がレシーバＩを通過する際に冷却されるのを抑制できる。
【００７０】
６．水タンク
主に、図２、図３及び図２８を用いて説明する。
水タンクＤは偏平な箱状（高さの低い直方体状）をしている。
水タンクＤは、上方が開放するタンク本体７０１と、タンク本体７０１の開口を覆うタンク蓋体７０３とを有し、筐体Ｃに対して出し入れ可能に構成されている。
【００７１】
タンク本体７０１の表壁７１１は、一対の側壁７１３よりも上方と側方に張り出している。これにより、水タンクＤが、筐体Ｃの開口部５２５内に挿入した際に、張出部分が開口部５２５の周辺部と当接する。
タンク本体７０１は表壁７１１における横方向の略中央に裏側に凹入する取手部７１５を有している。側壁７１３には、タンク内に凹入する縦溝７１３ａを有している。縦溝７１３ａには、水タンクＤが筐体Ｃに挿入された際に、図２６の（ａ）に示す裏ケースＣ２の突出部６３１ｂ，６３３ｂが進入する。これにより、水タンクＤが筐体Ｃから容易に抜けるのを防止できる。
タンク本体７０１の底壁７１７に横方向に間隔をおいて表裏方向に延伸する平行溝７１７ａを有している。平行溝７１７ａには、図２６の（ａ）に示す表ケースＣ１の表底壁５１９の凸部５２７が嵌り、水タンクＤの筐体Ｃへの挿入をガイドする。
【００７２】
タンク蓋体７０３は平板部７３１を備える。平板部７３１には、除湿機能部Ｂで除湿された水を水タンクＤの内部に受け入れるための受入口７３３，７３５を有している。受入口７３３は、図２８の（ｂ）に示す連通路Ｊの風路本体３１の下端部位に設けられた貫通孔３１ｃ用であり、受入口７３５は、図１８の（ｂ）に示す下カバーＬの底壁部６９の貫通孔６９ｄ用である。
タンク蓋体７０３は、平板部７３１に横方向と表裏方向に延伸する補強用リブ７３７を有している。タンク蓋体７０３は、タンク本体７０１の取手部７１５に対応する部分に上側に湾曲する湾曲部７３９を有している。
【００７３】
＜変形例＞
以上、第１及び第２の実施形態を説明したが、これらの実施形態に限られるものではなく、例えば、以下のような変形例であってもよい。また、実施形態と変形例、変形例同士を組み合わせたものであってもよい。
また、実施形態や変形例に記載していていない例や、要旨を逸脱しない範囲の設計変更があっても本発明に含まれる。
【００７４】
１．樹脂パイプ
（１）向き
実施形態では、複数本の樹脂パイプが上下方向に延伸するように配されていたが、樹脂パイプが上下方向に対して傾斜して配されてもよいし、横方向又は横方向に対して傾斜して配されても良いし、装置の表裏方向又は表裏方向に対して傾斜して配されても良いし、上下方向と横方向と表裏方向に跨るように傾斜して配されてもよい。
（２）パイプ群
実施形態では、１つのパイプ群が４本の樹脂パイプにより構成されていたが、１本又は４本以外の複数本であってもよい。
パイプ群は、吸気方向に重なる状態で支持されているが、熱交換効率に影響がでない程度（要求を満足できる範囲内）で配設方向に徐々にズレた状態（階段状態）で支持されてもよい。
パイプ群は、吸気方向に密着する状態で支持されているが、例えば、吸気方向に間隔をおいて支持されてもよい。この場合、熱交換器の吸気方向の寸法が大きくなるが、熱交換効率は向上する。
（３）断面形状
実施形態では、横断面形状が方形状をしているが、円形状、長方形状等の他の形状であってもよい。但し、空気と接触する面積、断面積、ユニットとしての大きさ等を考慮すると、方形状の断面形状が好ましい。
（４）長さ
樹脂パイプの長さは、特に規定していないが、格子孔部における樹脂パイプのパイプ軸方向の長さ以上あればよい。なお、ここでいう樹脂パイプの長さは空気に触れる領域の長さをいい、支持部内の長さは含まない。
格子孔部は、樹脂パイプのパイプ軸方向の中間部に位置するのが好ましい。なお、ここでいう中間部は、樹脂パイプ（支持部内を含まない）のパイプ軸方向の上流側から３／１０〜７／１０の範囲内の全領域又は一部領域をいう。
【００７５】
２．除湿ローター
除湿ローターは、吸水体を除湿フレームに装着して、除湿フレームの外周で回転駆動されていたが、吸水体の中心に配された除湿軸体で回転駆動されてもよい。
円板状の吸水体を表側（吸気口側）から見ると、樹脂パイプのパイプ軸方向と平行な直線を直径とする一方の半円部分が熱交換器と重なり、他方の半円部分の約２／５がレシーバと重なる。これらの比率は、熱交換器の樹脂パイプの間隔、大きさ、本数等により適宜変更してもよい。
【００７６】
除湿ローターは、除湿フレームが吸水体を介して除湿軸体に支持された状態で、筒部の円周壁部分により支持されている。しかしながら、除湿ローターは、除湿フレームが裏側（筒部における延伸部分が存在しない側）から支持されてもよい。支持として、例えば、筒部の円周壁部分の表面側に張り出す張出部分により構成される。なお、張出部分の張り出し量は、張出部分を筒部に一体に設ける場合は筒部内に除湿ローターが配置できる範囲内で、張出部分を筒部に一体に設けない場合は特に限定するものではない。但し、除湿フレームを超えて吸水体と重なる位置まで張り出すと、吸水体を通過する空気量が少なくなり好ましくない。なお、張出部分は、除湿フレームと対向配置されればよく、支持部材以外に、例えば、加熱器、連通路、主ファンユニット等に一体又は別体で設けてもよい。
【００７７】
３．支持部材
（１）全体
支持部材は、少なくとも除湿ローターを支持すればよく、例えば、加熱器等の他のユニットを支持しなくてもよい。
但し、除湿ローターと加熱器との装着方法に着目する場合、支持部材は除湿ローターと加熱器とを支持する必要がある。同様に、除湿ローターと加熱器とレシーバとの装着方法に着目する場合は、支持部材は除湿ローターと加熱器とレシーバとを支持する必要がある。
また、加熱器からの空気を熱交換器に案内する上案内空間の構造に着目する場合は、支持部材は、加熱器及びレシーバの支持は関係なく、上カバーや熱交換器の支持が必要となる。
また、熱交換器を通過した空気を連通路に案内する下案内空間の構造に着目する場合は、支持部材は、加熱器、レシーバ及び上カバーの支持は関係なく、下カバーや熱交換器の支持が必要となる。
【００７８】
（２）延伸部分
支持部材は、３本の延伸部分を有していたが、除湿ローターを支持できれば、延伸部分は１本でもよいし、２本でもよいし、４本以上であってもよい。除湿ローターに供給される空気量を考慮すると、延伸部分は４本以下が好ましい。
実施形態では、延伸部分にレシーバを当接させているが、レシーバの装着に着目しない場合は、延伸部分にレシーバを当接させなくてもよい。但し、除湿ローターを通過する空気量を考慮すると、レシーバ内で両者が当接するのが好ましい。
櫛部を一体に有する延伸部分は樹脂パイプのパイプ軸方向と直交する方向に延伸しているが、樹脂パイプのパイプ軸方向と直交しない方向に延伸してもよい。この場合、樹脂パイプに対して歯の位置が階段状となるように、歯を設ければよい。なお、この階段状の場合も、「歯を樹脂パイプの並設方向に沿って複数有する」の一例に相当する。
【００７９】
（３）横桟部
櫛部を一体に有する横桟部分は樹脂パイプのパイプ軸方向と直交する方向に延伸しているが、樹脂パイプのパイプ軸方向と直交しない方向に延伸してもよい。この場合、樹脂パイプに対して歯の位置が階段状となるように、歯を設ければよい。なお、このような直交しない方向に延伸する場合も、「樹脂パイプの並設方向に沿って延伸する」の一例に相当する。
実施形態では、櫛部を有する延伸部分と横桟部分とは１直線上に位置するが、横桟部分と延伸部分とが、例えば「Ｖ」字のように交差してもよい。この場合、横桟部分の歯及び延伸部分の歯は上述のように階段状に設けることで実施できる。
実施形態では横桟部分は１本であったが、除湿機の大きさ、除湿性能等によって樹脂パイプを長くする場合、横桟部分を複数本設けてもよい。
【００８０】
（４）櫛部及び歯
実施形態の櫛部は延伸部分及び横桟部分に一体で設けられているが、別体で構成した後、延伸部分及び横桟部分に装着するようにしてもよい。なお、支持部材を樹脂材料尾用いて射出成形する場合、櫛部を一体で成形した方がコスト的に優位である。
実施形態の歯は、樹脂パイプのパイプ軸方向に長い矩形状（角部が丸くなっている場合を含む）をしているが、例えば、方形状、円形状、長円形状等の他の形状であっても良い。なお、樹脂パイプとの接触部分での応力集中を考慮すると、樹脂パイプに線接触又は面接触する形状が好ましい。なお、歯の延伸先端部は樹脂パイプの配置を考慮すると先細りしている方が好ましい。
【００８１】
（５）支持軸
実施形態の支持軸は、第１軸部と第２軸部とから構成され、第２軸部を耐熱部としているが、例えば、支持軸に加熱器を連結しないような場合、第２軸部として耐熱性能の劣る樹脂材料を用いてもよいし、第１軸部と第２軸部とを一般の樹脂材料により一体で設けてもよい。
また、第２軸部として耐熱性が要求される場合、ＰＢＴ以外に、ポリエチレンテレフタレート（ＰＥＴ）やポリフェニレンサルファイド（ＰＰＳ）等の耐熱性樹脂材料も利用できる。さらに、第２軸部として金属材料を利用することもでき、例えば、インサート成形により第１軸部と一体化することも可能である。
【００８２】
（６）筒部
筒部は、ベース部の第１ベース部分を基準して表側に凹入しているが、例えば、第１ベース部分から裏側に凹入する構造であってもよいし、第１ベース部分から表側と裏側とに凹入する構造であってもよい。
筒部は、除湿ローターの外周形状に対応して円筒状をしているが、筒部内で除湿ローターが回転できればよく、例えば、筒部は四角筒部等の形状であってもよい。ただし、筒部の内周面で除湿ローターの除湿フレームを支持する場合、除湿フレームの外周に少なくとも３点以上で接する形状の内周面を有する筒部が好ましい。
【００８３】
（７）第２軸体
実施形態の第２軸体は、主孔と副孔とを有し、支持部材の連結部分に２本のねじにより固定されているが、副孔用のねじの代わりに、例えば、連結部分に一体で形成されたピンを利用することもできる。なお、実施形態では、第２軸体の突出部がねじにより固定されているが、突出部が第１軸部の欠け部に嵌っている場合において突出部は固定されていなくても第２軸体が回転することはない。しかしながら、第２軸体が回転するような場合、回転の負荷が突出部を介して欠け部に作用することとなり、耐久性を考慮すると、突出部を固定した方が好ましい。
また、第２軸体は、その軸部が第１軸部と同軸上に固定されればよく、他の構造及び固定方法であってもよい。他の構造としては、軸部の一端に２方向に突出する突出部を有し、当該突出部がねじ等により固定されてもよい。
【００８４】
４．センサ
実施形態の転倒センサは、支持部材の上下方向の中間付近に温度センサと共に設けられているが、例えば、支持部材の下部側に設けてもよい。この場合、温度センサを下部側に配置できないときは、転倒センサと温度センサの基板とを配線で接続するようにしてもよい。
実施形態の転倒センサは温度センサと共に１個設けられているが、複数個設けてもよい。例えば、２個の場合、支持部材の上下方向の中間と下部とに設けてもよい。
【００８５】
５．筐体
（１）構造
実施形態の筐体は、表ケース、裏ケース及び化粧板の３部材から構成されていたが、表ケース及び裏ケースの２部材から構成してもよいし、表ケース、裏ケース及び一対の化粧板の４部材から構成してもよい。
実施形態の表ケース及び裏ケースは、筐体を表裏方向の中央で２分するように構成されているが、表ケース及び裏ケースの一方が他方よりも表裏方向の寸法が大きくなるように構成されてもよい。
実施形態の筐体は表側に水タンクを出し入れ可能に備えていたが、裏側に水タンクを出し入れ可能に備えてもよい。
【００８６】
（２）操作部
実施形態の操作部は、表ケースの凹み部の底壁に操作基板が固定されている。凹み部は裏側に開口を有しているが、４側壁を有する凹みであってもよい。
底壁は水平状に設けられているが、底壁は裏側下がりに傾斜状に設けられてもよい。傾斜状とすることで、湿気が底壁に沿って表側へと誘導され、操作基板側に流れるのを防止できる。実施形態での操作部は、表ケースの表天壁に設けられているが、例えば、表壁に設けられてもよい。
【００８７】
Ａ    除湿機
Ｂ    除湿機能部
Ｃ    筐体
Ｅ    支持部材
Ｆ    除湿ローター
Ｇ    熱交換器
Ｈ    加熱器
Ｉ    レシーバ
３７    樹脂パイプ
１０９    櫛部分（櫛部）
１０９ａ  歯
１１９    櫛部分（櫛部）
１１９ａ  歯
【図１】
2019219165.tif 000003
【図２】
2019219165.tif 000004
【図３】
2019219165.tif 000005
【図４】
2019219165.tif 000006
【図５】
2019219165.tif 000007
【図６】
2019219165.tif 000008
【図７】
2019219165.tif 000009
【図８】
2019219165.tif 000010
【図９】
2019219165.tif 000011
【図１０】
2019219165.tif 000012
【図１１】
2019219165.tif 000013
【図１２】
2019219165.tif 000014
【図１３】
2019219165.tif 000015
【図１４】
2019219165.tif 000016
【図１５】
2019219165.tif 000017
【図１６】
2019219165.tif 000018
【図１７】
2019219165.tif 000019
【図１８】
2019219165.tif 000020
【図１９】
2019219165.tif 000021
【図２０】
2019219165.tif 000022
【図２１】
2019219165.tif 000023
【図２２】
2019219165.tif 000024
【図２３】
2019219165.tif 000025
【図２４】
2019219165.tif 000026
【図２５】
2019219165.tif 000027
【図２６】
2019219165.tif 000028
【図２７】
2019219165.tif 000029
【図２８】
2019219165.tif 000030